(57)【要約】  本発明は、台車へのブレーキ・リンケージの取付部であって、長い耐用年数を有し、メンテナンスをほとんど必要としないを備える取付部を備える走行装置を提供することを目的とする。ブレーキ・リンケージと台車との間の衝撃及び振動の伝達は低減され、台車及びブレーキ・リンケージは互いに電気的に絶縁される。台車及びブレーキ・リンケージ（１０）を備える鉄道車両用の走行装置（１００）が提案されており、この走行装置は、少なくとも１つの軸受要素（２２）を備える。ブレーキ・リンケージ（１０）は、少なくとも１つの軸受要素（２２）により台車に取り付けられ、及び／又は台車に接続され、少なくとも１つの軸受要素（２２）は、プラスチックを有し、及び／又はプラスチックからなる。
2020506842.tif 000002
【特許請求の範囲】
【請求項１】
台車とブレーキ・リンケージ（１０）とを備え、少なくとも１つの軸受要素（２２）を有する鉄道車両用の走行装置（１００）であって、
前記ブレーキ・リンケージ（１０）は前記少なくとも１つの軸受要素（２２）により前記台車に取り付けられ、及び／又は、前記台車に接続されており、
前記少なくとも１つの軸受要素（２２）がプラスチックを有し、及び／又は、プラスチックからなることを特徴とする、
鉄道車両用の走行装置（１００）。
【請求項２】
前記少なくとも１つの軸受要素（２２）はブッシュ（２１）であり、
前記軸受要素（２２）は前記ブレーキ・リンケージ（１０）内に配置され、好ましくは前記ブレーキ・リンケージ（１０）の孔、具体的にはボア内に配置されることを特徴とする、
請求項１に記載の走行装置（１００）。
【請求項３】
取付手段（２３）、具体的にはピン（１６）は、前記台車上に配置され、及び／又は、前記台車に接続され、
前記取付手段（２３）は前記軸受要素（２２）内に取り付けられることを特徴とする、
請求項１又は２に記載の走行装置（１００）。
【請求項４】
前記ブレーキ・リンケージ（１０）はブレーキ・ブリッジ（１４）を備え、
前記ブレーキ・ブリッジ（１４）は前記ブレーキ・ブリッジ（１４）の前記少なくとも１つの軸受要素（２２）により前記台車に取り付けられ、
前記少なくとも１つの軸受要素（２２）は、特に好ましくは前記ブレーキ・ブリッジ（１４）の孔、具体的にはボア内に配置されることを特徴とする、
請求項１乃至３のいずれか一項に記載の走行装置（１００）。
【請求項５】
前記台車はアダプタ（１５）及び／又は、懸架ブラケットを備え、
前記ブレーキ・リンケージ（１０）、具体的には前記ブレーキ・ブリッジ（１４）は前記軸受要素（２２）により前記アダプタ（１５）に取り付けられ、及び／又は
前記懸架ブラケット（１５）に取り付けられていることを特徴とする、
請求項１乃至４のいずれか一項に記載の走行装置（１００）。
【請求項６】
前記台車は、前記少なくとも１つの軸受要素（２２）により前記ブレーキ・リンケージ（１０）から電気的に絶縁され、
前記軸受要素（２２）は、好ましくは、少なくとも２０ｋＶ、更に好ましくは少なくとも４０ｋＶ、特に好ましくは少なくとも５０ｋＶ、更に特に好ましくは少なくとも６０ｋＶ、一層より好ましくは少なくとも８０ｋＶ、最も好ましくは少なくとも１００ｋＶの絶縁耐力を有することを特徴とする、
請求項１乃至５のいずれか一項に記載の走行装置（１００）。
【請求項７】
前記台車は、前記少なくとも１つの軸受要素（２２）により前記ブレーキ・リンケージ（１０）から振動が減衰され、
好ましくは、前記少なくとも１つの軸受要素（２２）の取付け特性は、
ＤＩＮ  ＥＮ６１  ３７３による耐用寿命試験中、特に前記軸受要素（２２）で取り付けられた前記ブレーキ・リンケージ（１０）の加速度密度応答が、１０Ｈｚ〜１００Ｈｚの周波数範囲の少なくとも５０％、好ましくは少なくとも６０％、更に好ましくは少なくとも８０％、特に好ましくは少なくとも９０％にわたり、２０，０００（ｍ／ｓ２）２／Ｈｚ未満、好ましくは１０，０００（ｍ／ｓ２）２／Ｈｚ未満、より好ましくは９，０００（ｍ／ｓ２）２／Ｈｚ未満であるように形成されることを特徴とする、
請求項１乃至６のいずれか一項に記載の走行装置（１００）。
【請求項８】
前記プラスチックはポリオキシメチレン（ＰＯＭ）であり、及び／又は
前記プラスチックは自己潤滑性プラスチックであることを特徴とする、
請求項１乃至７のいずれか一項に記載の走行装置（１００）。
【請求項９】
前記軸受要素（２２）は、３０ｍｍ〜２００ｍｍ、好ましくは５０ｍｍ〜１００ｍｍ、特に好ましくは５０ｍｍ〜６０ｍｍの長さ（Ｌ）と、及び／又は
３０ｍｍ〜１００ｍｍ、好ましくは４０ｍｍ〜７０ｍｍ、特に好ましくは５０ｍｍ〜６５ｍｍの外径（Ａ）、及び／又は２５ｍｍ〜９０ｍｍ、好ましくは３５ｍｍ〜７５ｍｍ、特に好ましくは５０ｍｍ〜５５ｍｍの内径（Ｉ）と、及び／又は
１ｍｍ〜６ｍｍ、好ましくは２ｍｍ〜５ｍｍ、特に好ましくは３ｍｍ〜４ｍｍ、最も好ましくは３．５ｍｍの壁厚（Ｗ）と、を有することを特徴とする、
請求項１乃至８のいずれか一項に記載の走行装置（１００）。
【請求項１０】
取付端部要素（２６）、具体的には取付ディスク（２５）、より具体的にはスペーサが設けられることを特徴とする、
請求項１乃至９のいずれか一項に記載の走行装置（１００）。
【請求項１１】
プラスチックを有し、及び／又はプラスチックからなることを特徴とする、
請求項１乃至１０のいずれか一項に記載の走行装置（１００）用の軸受要素（２２）、特にブッシュ（２１）。
【発明の詳細な説明】
【技術分野】
【０００１】
本発明は、少なくとも１つの軸受要素を備える台車とブレーキ・リンケージとを備える鉄道車両の走行装置に関し、ブレーキ・リンケージは、少なくとも１つの軸受要素により台車に取り付けられ、及び／又は台車に接続される。本発明は更に、鉄道車両の走行装置用の軸受要素に関する。
【背景技術】
【０００２】
鉄道車両の走行装置は一般に、台車及びブレーキ・リンケージを備える。ブレーキ・リンケージは、いわゆるブレーキ・ブリッジを更に備えることがある。ブレーキ・リンケージ、具体的にはブレーキ・ブリッジは台車に取り付けられている。従って、台車はブレーキ・リンケージ又はブレーキ・ブリッジと台車との間のコネクタとして配置されるアダプタを備えることがある。更に、懸架ブラケットが設けられることがあり、これによってブレーキ・リンケージ、具体的にはブレーキ・ブリッジは台車に接続されて、台車に取り付けられる。
【０００３】
高機械的応力及び高電圧が鉄道車両の走行装置において発生する。また、動作中に強い振動が予想される。台車とブレーキ・ブリッジ又はブレーキ・リンケージとの間に形成される電圧は、それぞれ１０ｋＶから１００ｋＶ以上の範囲内である可能性がある。鉄道車両の上部構造と同様に台車の重量が大きいため、１００ｋＮ以上の力が台車とブレーキ・リンケージとの間の接続要素又は軸受要素に作用することがある。また、強い振動により、台車とブレーキ・リンケージとの間の接続部及び取付部が急速に劣化するため、短い間隔でまた頻繁に保守及び点検をする必要がある。
【０００４】
ＤＥ１９８４４５０７Ａ１には、鉄道車両用のブレーキ組立体が提案されており、このブレーキ組立体では、ブレーキ・ブリッジは球形の可撓性継手取付部により台車に球状に取り付けられており、可撓性継手取付部はゴム製のカフを備える。
【０００５】
ＤＥ１０２４１７５５Ａ１には、騒音の発生を低減した貨車台車が提案され、騒音低減のために、ブレーキ・リンケージのピン及びブッシュ連結部にブッシュが使用される。
【０００６】
ＤＥ４４２５５９８Ｃ１には、鉄道車両のブレーキ・ディスクに対する停止時又は操作中の自動制動力決定のための装置が開示され、ブレーキ・ブリッジは懸架ブラケットによりフレームに接続されている。
【０００７】
従来技術では、台車にブレーキ・リンケージを取り付けるために使用されるゴム−金属取付部もよく知られている。
【発明の概要】
【発明が解決しようとする課題】
【０００８】
【課題を解決するための手段】
【０００９】
【発明の効果】
【００１０】
本発明の目的は、台車へのブレーキ・リンケージの取付部であって、長期の耐用年数を有し、メンテナンスをほとんど必要としない取付部を備える走行装置を提供することである。ブレーキ・リンケージと台車との間の衝撃及び振動の伝達は低減され、台車とブレーキ・リンケージとは互いに電気的に絶縁される。本発明は更に、鉄道車両用の走行装置のための軸受要素を提供しようとするものである。
【００１１】
この目的を達成するために、台車とブレーキ・リンケージとを備え、少なくとも１つの軸受要素を有する鉄道車両用の走行装置であって、ブレーキ・リンケージは、少なくとも１つの軸受要素により台車に取り付けられ、並びに／又は、少なくとも１つの軸受要素はプラスチックを有し、及び／若しくはプラスチックからなる鉄道車両用の走行装置を提供する。
【００１２】
台車は、ブレーキ・リンケージを取り付けるためのアダプタ及び／又は懸架ブラケットを備えてもよい。更に、ブレーキ・リンケージはブレーキ・ブリッジを備えてもよく、ブレーキ・リンケージの取付けはブレーキ・ブリッジにより行われることが好ましい。
【００１３】
プラスチックは、好ましくは加硫されていないプラスチック、具体的には硬質プラスチックを有する軸受要素、及び／又はプラスチック、好ましくは加硫されていない、具体的には硬質プラスチックからなる軸受要素を有利に使用することにより、ブレーキ・リンケージと台車との間が良好に電気絶縁された、ブレーキ・リンケージの取付部を台車に設けることができる。
【００１４】
本出願人が試験したところ、プラスチックで製造された軸受要素、及び／又はプラスチックを含む軸受要素は、台車への制動力の伝達に非常に有利な影響を与えることが分かった。更にこの軸受要素は、ブレーキ・リンケージの取付部用の公知のゴム／金属取付部の性能に応じる程度まで、衝撃及び振動の低減を促す。
【００１５】
軸受要素は、ゴム／金属製の取付部ではないことが好ましい。更に、台車上のブレーキ・リンケージの取付部にはゴム／金属の取付部は使用されないことが好ましい。
【００１６】
鉄道車両の走行装置において、プラスチックを含む、及び／又はプラスチックからなる軸受要素を、懸架ブラケット有り又は懸架ブラケット無しのブレーキ・リンケージにおけるゴム／金属取付部の一般的な代替品として使用することができる。ブレーキ・ブリッジをアダプタで接続するため、又はブレーキ・ブリッジを台車及び／若しくは懸架ブラケットに接続するためのピンの取付部として、プラスチックを有する、及び／又はプラスチックからなる電気絶縁軸受要素は特に好適である。
【００１７】
耐用年数試験の結果、非常に、特に有利なことに、公知のゴム／金属取付部と比較して、鉄道車両用の走行装置においてプラスチックを有する及び／又はプラスチックからなる軸受要素の耐用年数は明らかに長いことが分かった。
【００１８】
少なくとも１つの軸受要素はブッシュであることが好ましく、軸受要素はブレーキ・リンケージに配置されており、ブレーキ・リンケージの孔内に配置されることが好ましく、具体的にはブレーキ・リンケージのボア内に配置されることが好ましい。
【００１９】
軸受要素をブッシュとして形成し、軸受要素をブレーキ・リンケージの孔に配置することにより、ブレーキ・リンケージ又は台車に対して何ら改造を更にすることなく、鉄道車両の台車におけるブレーキ・リンケージの取付部に軸受要素を容易に使用することができる。
【００２０】
取付手段、具体的にはピンは、台車上に配置され、及び／又は台車に接続され、取付手段は、軸受要素内に取り付けられることが更に好ましい。
【００２１】
ブレーキ・リンケージ、具体的にはブレーキ・ブリッジを取り付け又は懸架するために、取付手段、具体的にはピンは、台車上に、台車のアダプタ上に、及び／又は台車の懸架ブラケット上に配置されることが好ましく、軸受要素内に取り付けられるか、及び／又は配置されることが更に好ましい。これにより、台車とブレーキ・リンケージとの接続及び取付けがなされる。
【００２２】
ブレーキ・リンケージは、ブレーキ・ブリッジを備えることが更に好ましく、ブレーキ・ブリッジは、少なくとも１つの軸受要素により台車に取り付けられ、少なくとも１つの軸受要素は、ブレーキ・ブリッジ内に配置されるのが好ましく、ブレーキ・ブリッジの孔内に配置されるのが特に好ましく、具体的にはブレーキ・ブリッジのボア内に配置されるのが一層好ましい。
【００２３】
ブレーキ・リンケージを台車のブレーキ・ブリッジにより取り付けることによって、効果的且つ安定的に取付けが行われる。ブレーキ・リンケージは、ブレーキ・ブリッジにより台車上に取り付けられてもよい。取付部は、ブレーキ・ブリッジ専用に設けられてもよいが、ブレーキ・リンケージ、具体的にはブレーキ・ブリッジを台車上の更なる取付部、例えば懸架ブラケットにより取り付けることも可能である。例えば懸架ブラケットにより更なる取付部を設ける場合には、プラスチックを含む、及び／又はプラスチックからなる軸受要素もまたそこに使用することができる。ブレーキ・レバー及び／又はブレーキ・ライニング保持部により、台車とのブレーキ・リンケージの更なる取付部又は追加の取付部を設けることもできる。
【００２４】
従って、ブレーキ・ブリッジは、この目的のために設けられたアダプタ及び／又は懸架ブラケットにより台車に固定され、取り付けられることが特に好ましい。従って、ブレーキ・ブリッジは、孔を有することが好ましく、ボアを有することが特に好ましく、ここに軸受要素が配置される。取付手段、具体的にはピンは、アダプタ及び／又は懸架ブラケット上に配置され、及び／又は固定され、次いで取付手段、具体的には１つ又は複数のピンが軸受要素内に配置される。更にアダプタ及び／又は懸架ブラケット上に取付手段を配置するために、アダプタ及び／又は懸架ブラケットに別の取付ホルダを設けることができ、このアダプタ及び／又は懸架ブラケットには更なる軸受要素が配置される。取付手段、具体的には１つ又は複数のピンは、具体的にはその端部は、懸架ブラケット及び／又はアダプタ内に配置され、好ましくは、懸架ブラケット又はアダプタ内に配置された軸受要素内に配置される。懸架ブラケット及び／又はアダプタは、台車に接続される、及び／又は台車の一部である。このようにして、要素制動ブリッジ、孔、軸受要素、ピン、懸架ブラケット及び／又はアダプタ、並びに台車は、台車にブレーキ・ブリッジを取り付ける。
【００２５】
懸架ブラケット及び／又はアダプタの取付ホルダが軸受要素も備えるように、少なくとも１つの軸受要素が、アダプタ及び／又は懸架ブラケットの取付ホルダ内に配置されてもよい。ここで、軸受要素はプラスチックを含む、及び／又は軸受要素はプラスチックからなる。
【００２６】
台車は、少なくとも１つの軸受要素によりブレーキ・リンケージから電気的に絶縁されることが更に好ましく、軸受要素は、好ましくは、少なくとも２０ｋＶ、更に好ましくは少なくとも４０ｋＶ、特に好ましくは少なくとも５０ｋＶ、更に特に好ましくは少なくとも６０ｋＶ、一層より好ましくは少なくとも８０ｋＶ、最も好ましくは少なくとも１００ｋＶの絶縁耐力を有する。
【００２７】
軸受要素は、２０ｋＶ〜２００ｋＶ、好ましくは５０ｋＶ〜１５０ｋＶ、特に好ましくは８０ｋＶ〜１２０ｋＶ、最も好ましくは１００ｋＶの絶縁耐力を有することが好ましい。
【００２８】
絶縁耐力は、絶対的なものであってもよいし、軸受要素の１ミリメートル当たりの材料厚さで決定されてもよい。高い絶縁耐力は、台車に対するブレーキ・リンケージの電気的絶縁を良好にする。
【００２９】
更に、軸受要素の電気抵抗は、２ｋΩ以上が好ましく、特にマイクロ秒範囲で２．５ｋＶの電圧インパルスの後に５０Ｖ試験電圧で測定されることが好ましい。
【００３０】
軸受要素は、ブレーキ・リンケージ、及び／又はブレーキ・リンケージの孔、具体的にはブレーキ・ブリッジ、及び／又はアダプタの取付ホルダ及び／又は懸架ブラケットに、ピンなどの取付手段に圧入されることによって、配置され得ることが更に好ましい。
【００３１】
更に、公知のゴム／金属取付部の金属部分又はゴム部分を、プラスチックを有するか又はプラスチックからなる軸受要素と交換することも可能である。
【００３２】
更に、鉄道車両用における走行装置の軸受要素は、旋回工程により製造されることが好ましい。更に、軸受要素は、押出工程によって製造されることも可能である。
【００３３】
台車は、少なくとも１つの軸受要素を用いてブレーキ・リンケージに対して振動減衰されることが好ましく、少なくとも１つの軸受要素の取付け特性が、ＤＩＮ  ＥＮ６１  ３７３による耐用寿命試験において、ブレーキ・リンケージ、特に軸受要素が取り付けられたブレーキ・リンケージの加速度密度応答が、少なくとも５０％、好ましくは少なくとも６０％、更に好ましくは少なくとも８０％、最も好ましくは少なくとも９０％の１０Ｈｚ〜１００Ｈｚの周波数範囲で、２０，０００（ｍ／ｓ２）２／Ｈｚ未満、好ましくは１０，０００（ｍ／ｓ２）２／Ｈｚ未満、特に好ましくは９，０００（ｍ／ｓ２）２／Ｈｚ未満であるように形成されることが好ましい。
【００３４】
少なくとも１つの軸受要素の取付け特性を決定するために、ブレーキ・ブリッジを備えるブレーキ・リンケージは、軸受要素が配置されたブレーキ・ブリッジ内に存在する孔又はボアと共に、対応する試験装置に挿入される。ＤＩＮ  ＥＮ６１  ３７３による耐用寿命試験中、振動は、軸受要素及び／又はブレーキ・リンケージ及び／又はブレーキ・ブリッジに伝達され、ブレーキ・リンケージ、具体的にはブレーキ・ブリッジの加速度密度応答は、ブレーキ・リンケージ上に配置されたセンサによって記録される。センサによって、ブレーキ・リンケージの加速度密度応答は、次に、ブレーキ連結の特定の測定周波数、例えば０Ｈｚ〜２５０Ｈｚの測定周波数により出力密度の単位で加えられる。ここで、具体的には、ブレーキ・リンケージにおいて測定された周波数スペクトルの１０〜１００Ｈｚの周波数範囲において、出力密度スペクトルは、具体的には、出力密度スペクトルの少なくとも５０％、好ましくは少なくとも６０％、更に好ましくは少なくとも８０％、特に好ましくは少なくとも９０％にわたり、２０，０００（ｍ／ｓ２）２／Ｈｚ未満、好ましくは１０，０００（ｍ／ｓ２）２／Ｈｚ未満、最も好ましくは９，０００（ｍ／ｓ２）２／Ｈｚ未満に規定してもよい。
【００３５】
プラスチックはポリオキシメチレン（ＰＯＭ）であること、及び／又はプラスチックは自己潤滑性プラスチックであることが更に好ましい。
【００３６】
ポリオキシメチレン（ＰＯＭ）は高分子熱可塑性プラスチックであり、広い温度範囲で高い安定性、硬度及び剛性を特徴とする。その高い粘度を−４０°まで維持し、且つ高い耐摩耗性及び低い摩耗係数を有することが有利である。更に、ポリオキシメチレンは、非常に耐熱性が高く、また良好な滑り特性及び良好な電気特性及び誘電特性を有する。更に、ポリオキシメチレンは、−４０°〜１３０°の使用温度が可能であるように、低い吸水性を特徴とする。ＰＯＭは、自己潤滑性プラスチックと組み合わせることができる。
【００３７】
軸受要素は、３０ｍｍ〜２００ｍｍ、好ましくは５０ｍｍ〜１００ｍｍ、特に好ましくは５０ｍｍ〜６０ｍｍの長さを有し、及び／又は３０ｍｍ〜１００ｍｍ、好ましくは４０ｍｍ〜７０ｍｍ、特に好ましくは５０ｍｍ〜６５ｍｍの外径、及び／又は２５ｍｍ〜９０ｍｍ、好ましくは３５ｍｍ〜７５ｍｍ、特に好ましくは５０ｍｍ〜５５ｍｍの内径、及び／又は１ｍｍ〜６ｍｍ、好ましくは２ｍｍ〜５ｍｍ、特に好ましくは３ｍｍ〜４ｍｍ、最も好ましくは３．５ｍｍの壁厚を有することが更に好ましい。
【００３８】
軸受要素は、３０ｍｍ〜２００ｍｍ、好ましくは５０ｍｍ〜１００ｍｍ、特に好ましくは５０ｍｍ〜６０ｍｍ、及び最も好ましくは５７ｍｍの長さ、及び／又は３０ｍｍ〜１００ｍｍ、好ましくは４０ｍｍ〜７０ｍｍ、特に好ましくは５０ｍｍ〜６５ｍｍ、最も好ましくは６０ｍｍの外径、及び／又は２５ｍｍ〜９０ｍｍ、好ましくは３５ｍｍ〜７５ｍｍ、特に好ましくは５０ｍｍ〜５５ｍｍ、最も好ましくは５３ｍｍの内径、及び／又は１ｍｍ〜６ｍｍ、好ましくは２ｍｍ〜５ｍｍ、特に好ましくは３ｍｍ〜４ｍｍ、最も好ましくは３．５ｍｍの壁厚を有することが更に好ましい。公差（許容誤差）は、０．１〜０．２ｍｍの範囲でよく、特に０．１５ｍｍの公差が好ましい。
【００３９】
軸受要素、特に取付ディスク、更には特にスペーサも設けてもよい。
【００４０】
取付端部要素、特に取付ディスクは、プラスチックを含むか又はプラスチックからなる軸受要素の弛緩を抑制する働きをする。軸受要素がブッシュとして形成され、ブレーキ・ブリッジのボアのような孔の中に同一平面上に配置される場合に、更に、ブレーキ・リンケージがブレーキ・ブリッジ及びブッシュの上に取り付けられている場合には、動作中の強い負荷下において、ブッシュのプラスチックは、ブレーキ・ブリッジ内のボアの側方から押し出されるか、又はそこから流出することが可能である。
【００４１】
このため、取付ディスク又は特にスペーサのような取付端部要素は、ブレーキ・ブリッジと同一平面上にあるブッシュの端部側に配置されてもよく、取付端部要素をブレーキ・ブリッジと台車のアダプタ又は懸架ブラケットとの間にクランプして圧力を加えることによってブッシュのプラスチックがボアから流出する又は押し出されることを防止してもよい。この目的のため、軸受要素又は取付ディスクは内側開口を有してもよい。取付けのために使用されるボルトであって、軸受要素、具体的にはブッシュに配置されるボルトの端部はこの内側開口を通って、ガイドされる。
【００４２】
取付端部要素、特に取付ディスクは、４０ｍｍ〜１００ｍｍ、好ましくは５０ｍｍ〜８０ｍｍ、特に好ましくは６０ｍｍ〜８０ｍｍ、最も好ましくは７０ｍｍの直径、及び／又は２０ｍｍ〜５０ｍｍ、好ましくは２５ｍｍ〜４５ｍｍ、特に好ましくは３０ｍｍ〜４０ｍｍ、最も好ましくは３５ｍｍの内側開口部の開口直径を有してもよい。取付端部要素、特に取付ディスクは、１ｍｍ〜５ｍｍ、好ましくは２ｍｍ〜４ｍｍ、特に好ましくは２．５ｍｍ〜３ｍｍの厚さを更に有してもよい。
【００４３】
本発明が基づく目的の更なる解決手段は、上述の走行装置用の軸受要素、特にブッシュを提供することであり、軸受要素はプラスチックを有し、及び／又はプラスチックからなる。
【００４４】
以下、図面を参照しながら本発明を更に詳細に説明する。
【図面の簡単な説明】
【００４５】
【図１】アダプタに取り付けられたブレーキ・ブリッジを有するブレーキ・リンケージの図である。
【図２】ブッシュを有するブレーキ・ブリッジの図である。
【図３】センサ用の位置を有するブレーキ・リンケージの図である。
【図４】ブッシュの断面図である。
【図５】取付ディスクの上面図及び側面図である。
【図６】様式化された出力密度スペクトルの図である。
【発明を実施するための形態】
【００４６】
図１は、鉄道車両の走行装置１００用のブレーキ・リンケージ１０を示す。ブレーキ・リンケージ１０は、ブレーキ・ライニング保持部１１と、ブレーキ・ライニング１２と、ブレーキ・レバー１３と、ブレーキ・ブリッジ１４とを備える。図１は、また、ブレーキ・リンケージのアダプタ１５を示し、これは更に詳細には示されていない。ブレーキ・ブリッジ１４は、ピン１６によってアダプタ１５に接続されており、アダプタ１５は次々に固定ネジ１７により台車に配置されてもよい。ブレーキ・レバー１３は、ブレーキ・シリンダ３０によって作動される。
【００４７】
図２は、ブレーキ・ブリッジ１４の斜視図である。ブレーキ・ブリッジ１４は、ブレーキ・レバー１３を固定するための二つのアーム１８を備える。更に、接続部分１９はブレーキ・ブリッジ１４の上部に配置される。接続部分１９は二つの貫通孔２０を備える。貫通孔２０の各々には、プラスチックで製造された軸受要素２２がブッシュ２１として配置される。更に、取付手段２３はピン１６の形状のブッシュ２１内に配置される。接続部分２０の右側部分の図２に示され取付部２５は、ブッシュ２１及びピン１６に加えて、取付ディスク２５として形成されるプラスチックでできた取付端部要素２６を含む。ブレーキ・リンケージ１０を取り付けるために、ピン１６は、図１に示されるように、アダプタ１５の取付ホルダ２７内に配置されてもよく、更なるブッシュ２１がアダプタ１５の取付ホルダ２７内にあってもよい。更に、ピン１６は台車に直接接続されてもよいし、あるいは、台車に取り付けられてもよい。ピン１６は台車の懸架ブラケットの端部側に配置されることも可能である。
【００４８】
図３は、ブレーキ・リンケージ１０の側面図であり、特に加速度密度応答を記録するためのセンサ２８の位置を示す。
【００４９】
図４は、ブッシュ２１の中心面を通る断面を示す。ブッシュ２１は５７ｍｍの長さＬを有し、６０ｍｍの外径Ａを有する。壁厚Ｗが３．５ｍｍであるため、ブッシュ２１の内径Ｉは、５３ｍｍである。
【００５０】
図５は、取付ディスク２５として形成された取付端部要素２６の平面図を示す。取付ディスク２５は、７０ｍｍの直径Ｄを有し、３５ｍｍの内部開口の開口径Ｏを有する。また、取付ディスクは２．５ｍｍの厚さＴを有する。
【００５１】
最後に、図６は、センサ２８によって記録された加速度密度応答の様式化された出力密度スペクトル２９を示す。Ｘ軸は５〜２５０Ｈｚの記録周波数を示し、Ｙ軸は（ｍ／ｓ２）２／Ｈｚの単位における出力密度を示す。１０〜１００Ｈｚの周波数範囲の少なくとも５０％にわたって出力密度スペクトルは１０，０００（ｍ／ｓ２）２／Ｈｚ未満である。
【符号の説明】
【００５２】
１００  走行装置
１０  ブレーキ・リンケージ
１１  ブレーキ連結保持部
１２  ブレーキ・ライニング
１３  ブレーキ・レバー
１４  ブレーキ・ブリッジ
１５  アダプタ
１６  ピン
１７  固定ネジ
１８  アーム
１９  接続部分
２０  ボア
２１  ブッシュ
２２  軸受要素
２３  取付手段
２４  取付部
２５  取付ディスク
２６  取付端部要素
２７  取付ホルダ
２８  センサ
２９  出力密度スペクトル
３０  ブレーキ・シリンダ
Ｌ  長さ
Ａ  外径
Ｉ  内径
Ｗ  壁厚
Ｄ  直径
Ｏ  開口直径
Ｔ  厚さ
【図１】
2020506842.tif 000003
【図２】
2020506842.tif 000004
【図３】
2020506842.tif 000005
【図４】
2020506842.tif 000006
【図５】
2020506842.tif 000007
【図６】
2020506842.tif 000008
【国際調査報告】
2020506842.tif 000009
2020506842.tif 000010
2020506842.tif 000011
2020506842.tif 000012
2020506842.tif 000013
2020506842.tif 000014